(57)【要約】  【課題】  従来の回転式の色分離フィルタを使用する単板方式のプロジェクタでは、各色の光量あるいは画像全体の明るさが色分離フィルタにより制約を受けていたため、画像全体の明るさと色再現性との間にはトレードオフの関係があった。  【解決手段】  ランプ１からの出射光を、色分離フィルタ２の白色光と複数の有彩色光とをそれぞれ透過させるフィルタセグメント２Ｒ，２Ｇ，２Ｂ，２Ｗそれぞれへ入射するように反射させる可動反射鏡１１により、各色のフィルタセグメント２Ｒ，２Ｇ，２Ｂ，２Ｗを任意の期間透過させてＤＭＤ３へ入射させる。【選択図】      図１
2006220751.tif 000002
【特許請求の範囲】
【請求項１】
白色光を出射する光源と、該光源からの出射光を画像を構成する複数の有彩色の成分を表す変調光に順次的に変換する空間光変調手段と、前記光源と前記空間光変調手段との間で前記光源からの出射光を前記空間光変調手段が複数の有彩色に順次的に変換するタイミングに同期して前記複数の有彩色に分離する色分離手段とを備えたプロジェクタにおいて、
前記色分離手段は前記複数の有彩色の光をそれぞれ透過させる複数のフィルタセグメントを有し、
前記光源と前記空間光変調手段との間の前記光源からの出射光の光路を、前記色分離手段が有する複数のフィルタセグメントそれぞれを透過して前記空間光変調手段へ到達するように切り換える光路切換手段を備えたことを特徴とするプロジェクタ。
【請求項２】
前記光路切換手段が前記光源からの出射光が前記複数のフィルタセグメントそれぞれを透過する時間を調整することにより、前記空間光変調手段により変換される変調光が表わす画像の有彩色の成分の強度を調整する制御手段を更に備えたことを特徴とする請求項１に記載のプロジェクタ。
【請求項３】
前記色分離手段が有する前記複数のフィルタセグメントは直線状に配列されており、
前記光路切換手段は、前記光源からの出射光の光路を前記色分離手段の直線状に配列された複数のフィルタセグメントそれぞれの方向へ切り換える光学的光路切換手段と、前記色分離手段の複数のフィルタセグメントそれぞれを透過した光の光路を前記空間光変調手段の方向へ向わせる光学的光路変換手段とを備えたこと
を特徴とする請求項１に記載のプロジェクタ。
【請求項４】
白色光を出射する光源と、該光源からの出射光を画像を構成する複数の有彩色の成分を表す変調光及び白色を表わす変調光に順次的に変換する空間光変調手段と、前記光源と前記空間光変調手段との間で前記光源からの出射光を前記空間光変調手段が複数の有彩色及び白色に順次的に変換するタイミングに同期して前記複数の有彩色及び白色に分離する色分離手段とを備えたプロジェクタにおいて、
前記色分離手段は前記複数の有彩色及び白色の光をそれぞれ透過させる複数のフィルタセグメントを有し、
前記光源と前記空間光変調手段との間の前記光源からの出射光の光路を、前記色分離手段が有する複数のフィルタセグメントそれぞれを透過して前記空間光変調手段へ到達するように切り換える光路切換手段を備えたことを特徴とするプロジェクタ。
【請求項５】
前記光路切換手段が前記光源からの出射光が前記複数のフィルタセグメントそれぞれを透過する時間を調整することにより、前記空間光変調手段により変換される変調光が表わす画像の有彩色の成分の強度及び／又は明るさを調整する制御手段を更に備えたことを特徴とする請求項４に記載のプロジェクタ。
【請求項６】
前記色分離手段が有する前記複数のフィルタセグメントは直線状に配列されており、
前記光路切換手段は、前記光源からの出射光の光路を前記色分離手段の直線状に配列された複数のフィルタセグメントそれぞれの方向へ切り換える光学的光路切換手段と、前記色分離手段の複数のフィルタセグメントそれぞれを透過した光の光路を前記空間光変調手段の方向へ向わせる光学的光路変換手段とを備えたこと
を特徴とする請求項４に記載のプロジェクタ。
【請求項７】
前記空間光変調手段が前記光源からの出射光を変調光に変換する画像を少なくとも２種類に判別する判別手段と、
該判別手段による判別結果に応じて、前記光源からの出射光を前記色分離手段の前記有彩色を透過させるフィルタセグメントのみを透過させる第１の制御と、前記有彩色光及び白色光を透過させるフィルタセグメントを透過させる第２の制御とのいずれかの制御を行なう前記制御手段と
を備えたことを特徴とする請求項６に記載のプロジェクタ。
【請求項８】
前記判別手段が判別する前記２種類の画像の内の１種類はコンピュータのモニタ出力の画像であり、
前記制御手段は、前記判別手段による画像の判別結果がコンピュータのモニタ出力の画像である場合に前記第２の制御を行なうようにしてあることを特徴とする請求項７に記載のプロジェクタ。
【請求項９】
前記有彩色は赤，緑，青であることを特徴とする請求項１乃至８のいずれか一つに記載のプロジェクタ。
【請求項１０】
前記有彩色はシアン，マゼンタ，イエローであることを特徴とする請求項１乃至８のいずれか一つに記載のプロジェクタ。
【請求項１１】
前記有彩色は赤，緑，青，シアン，マゼンタ，イエローであることを特徴とする請求項１乃至８のいずれか一つに記載のプロジェクタ。
【請求項１２】
前記有彩色は赤，緑，青と、シアン及び／又はマゼンタ及び／又はイエローであることを特徴とする請求項１乃至８のいずれか一つに記載のプロジェクタ。
【発明の詳細な説明】
【技術分野】
【０００１】
本発明は、光源から出射される光を複数色の光をそれぞれ透過させるフィルタセグメントにより各色の光に分離してＤＭＤ（Digital Micromirror Device) 等のような空間光変調手段へ投射し、ＤＭＤに与えられる各色別の画像データに基づいて空間光変調することによりカラー画像を投射するプロジェクタに関する。
【背景技術】
【０００２】
プレゼンテーション又は映像の映写の分野では、コンピュータ又は種々の映像再生装置から入力された画像データに基づいた画像を外部のスクリーン等へ投射するプロジェクタが用いられている。このようなプロジェクタは、空間光変調手段、具体的には液晶パネル又はＤＭＤ（Digital Micromirror Device）等に画像データを与えることにより、内部の光源からの光を画像データに基づいて変調した画像を表す変調光を生成し、生成された変調光を外部のスクリーン等へ投射するように構成されている。
【０００３】
ところで、上述のようなプロジェクタでは従来は、１枚の板状の空間光変調手段にＲ（赤），Ｇ（緑），Ｂ（青）各色の光と場合によっては白色光とを時分割で投射することによりカラー画像を投射する方式と、一般的には３枚の空間光変調手段それぞれにＲ（赤），Ｇ（緑），Ｂ（青）各色の光を投射して各色別の変調光を発生させ、それらを合成することによりカラー画像を投射する方式とが存在する。
【０００４】
前者の方式を一般的に単板方式と称する。この単板方式では従来は各有彩色（Ｒ，Ｇ，Ｂ）光と場合によっては白色光をそれぞれ透過させるフィルタセグメントを回転させるカラーホィールを利用して光源からの出射光を各有彩色と場合によっては白色とに分離して空間光変調手段へ時分割で与えるようにしている。
【０００５】
ところで、上述のような単板方式のプロジェクタでは、カラーホィールに３色又は４色の光をそれぞれ透過させるフィルタセグメントを配列して空間光変調手段による変調周期（画像データの各色の成分が空間光変調手段に与えられる周期）に同期させて回転させる必要がある。従って、たとえば白色を含む４色を利用する場合にはカラーホィールの各色用のフィルタは単純に考えても四等分、即ち各色について９０度が割り当てられることになる。このため、空間光変調手段により変調されて投射される画像上での各色の色再現性、色温度等を補正する場合には各色に割り当てられたカラーホィールの９０度の範囲内での画像表示信号の長短によるしかないのが実情である。
【０００６】
しかし、データプロジェクタと称される主にコンピュータのモニタ画面をそのまま表示する用途に使用されるプロジェクタでは投射画像の明るさ（輝度）が優先されるので、他の色のそれに比して相対的に角度が大きい白色光を透過させるフィルタセグメントをカラーホィールに備えることにより、空間光変調手段から投射される画像が明るくなるようにしている。しかしこの場合、白色以外の各色の光を透過させるフィルタセグメントが相対的に小さくなることはいうまでもなく、この結果として白色以外の各色の光量が少なくなって良好な色再現性が得られなくなる。
【０００７】
従来はこのような事態に対しては前述した如く、カラーホィール上で各色用に割り当てられた角度の範囲内での画像表示信号の期間を長くすることにより対処していた。しかし、各色の光を透過させるフィルタセグメントに割り当てられている角度に対応する期間以上に各色の画像表示信号を長くすることは原理的に不可能である。また逆に、色再現性、色温度を重視してカラーホィール上で白色に割り当てられた角度の範囲内での画像表示信号の期間を短くすると空間光変調手段から投射される画像の明るさが当然のことながら低下して低輝度になることはいうまでもない。
【０００８】
このような事情に鑑み、特許文献１には、カラーホィールを同心円状に複数の環状の部分に区分し、各環状の部分で各色の光を透過させるフィルタセグメントに割り当てる角度を異ならせ、このようなカラーホィールの回転中心を光源からの出射光に対して交差する方向へ平行移動させる構成の発明が開示されている。このような特許文献１に開示された発明では、一つのカラーホィールの回転中心を移動させることにより、各色の光を透過させるフィルタセグメントに割り当てられている角度が異なる、換言すれば色再現性、色温度等が異なる複数種類のカラーホィールをプロジェクタの利用目的に応じて取り換えて使用するという構成が実質的に実現可能になる。またこの特許文献１に開示されている発明では、カラー画像を投射する場合はカラー用のカラーホィールを、コンピュータで作成したデータである文書等の白黒の画像を投射する場合は白黒用の高輝度のカラーホィールをそれぞれ使用することも容易に可能になる。
【０００９】
また特許文献２には、光源からの出射光をＲ，Ｇ，Ｂの各色用の反射素子の全てで反射するように投射し、それぞれの色に対応する反射素子で反射された光をそれぞれの色の光のみを分離するプリズムを透過させるように構成し、表示用光反射素子（空間光変調手段）が各色の画像に対応した状態になるタイミングに同期して反射素子の内の対応する色用の部分のみをオンする、即ち光源からの出射光を反射させるプロジェクタの発明が開示されている。
【特許文献１】特開２００３−３０７７０５号公報
【特許文献２】特開２００４−０８５８１３号公報
【発明の開示】
【発明が解決しようとする課題】
【００１０】
しかし、上述の特許文献１に記載の発明では、カラーホィール全体をかなりの距離直線移動させる機構が必要になるが、そのような機構は高い精密度が要求されると共に耐震性等も必要とされるため、耐久性に乏しい虞がある。また、特許文献１に記載の発明のみならずカラーホィールを使用する一般的なプロジェクタでは、カラーホィールの回転に起因する騒音も無視できないという問題もある。
【００１１】
また、引用文献２に開示されている発明では、光源からの出射光は常時Ｒ，Ｇ，Ｂの各色用の反射素子で反射されるようになっているので、光源からの出射光量の１／３ずつが画像の投射に使用されるのみであり、このことは換言すれば本来必要な光量の３倍の光量を出射する光源が必要になる、という非常に無駄が多い構成を採らざるを得ないという問題がある。
【００１２】
以上のように、従来の単板方式でカラーホィールを使用するプロジェクタでは、空間光変調手段から投射される画像の明るさと色再現性、色温度との間にはトレードオフの関係があり、ある程度の状態で妥協せざるを得なかった。また、引用文献２に開示されている発明では、各色用の光反射素子のオン／オフ期間、換言すれば光源からの出射光をそれぞれの色の光として反射する期間を任意に調整可能になると考えられるが、それ以前の問題として、光源からの出射光の１／３のみが実際の画像の投射に使用されるのみであるので、省エネルギーの観点から問題があり、また光源からの発熱量が必要以上に多くなることが避けられないことから冷却対策も重要になる等の問題があった。
【００１３】
本発明は、以上のような事情に鑑みてなされたものであり、その主たる目的は、従来の単板方式でカラーホィールを使用するプロジェクタに存在していた空間光変調手段から投射される画像の明るさと色再現性、色温度との間のトレードオフの関係を解消し得ると共に、特許文献１及び特許文献２に記載の発明の問題点をも併せて解消し得るプロジェクタの提供を主たる目的とする。
【課題を解決するための手段】
【００１４】
本発明に係るプロジェクタは、端的には、従来のカラーホィールにフィルタセグメントを備えて回転させる代わりに、フィルタセグメントは固定しておいて光源から空間光変調手段へ至る光路を固定した各色用のフィルタセグメントを透過するように切り換える構成としたものである。
【００１５】
本発明に係るプロジェクタは、白色光を出射する光源と、該光源からの出射光を画像を構成する複数の有彩色の成分を表す変調光に順次的に変換する空間光変調手段と、前記光源と前記空間光変調手段との間で前記光源からの出射光を前記空間光変調手段が複数の有彩色に順次的に変換するタイミングに同期して前記複数の有彩色に分離する色分離手段とを備えたプロジェクタにおいて、前記色分離手段は前記複数の有彩色の光をそれぞれ透過させる複数のフィルタセグメントを有し、前記光源と前記空間光変調手段との間の前記光源からの出射光の光路を、前記色分離手段が有する複数のフィルタセグメントそれぞれを透過して前記空間光変調手段へ到達するように切り換える光路切換手段を備えたことを特徴とする。
【００１６】
このような本発明に係るプロジェクタでは、色分離手段が回転したり、移動するのではなく、光源と空間光変調手段との間の光源からの出射光の光路が色分離手段が有する複数の有彩色を透過させるフィルタセグメントそれぞれを透過して空間光変調手段へ到達するように切り換えられる。
【００１７】
また本発明に係るプロジェクタは上記のプロジェクタの発明において、前記光路切換手段が前記光源からの出射光が前記複数のフィルタセグメントそれぞれを透過する時間を調整することにより、前記空間光変調手段により変換される変調光が表わす画像の有彩色の成分の強度を調整する制御手段を更に備えたことを特徴とする。
【００１８】
このような本発明に係るプロジェクタでは上記のプロジェクタの発明において、光源からの出射光が複数の有彩色を透過させるフィルタセグメントそれぞれを透過する時間を光路切換手段が調整することにより、空間光変調手段により変換される変調光が表わす画像の有彩色の成分の強度が調整される。
【００１９】
また本発明に係るプロジェクタは前記のプロジェクタの発明において、前記色分離手段が有する前記複数のフィルタセグメントは直線状に配列されており、前記光路切換手段は、前記光源からの出射光の光路を前記色分離手段の直線状に配列された複数のフィルタセグメントそれぞれの方向へ切り換える光学的光路切換手段と、前記色分離手段の複数のフィルタセグメントそれぞれを透過した光の光路を前記空間光変調手段の方向へ向わせる光学的光路変換手段とを備えたことを特徴とする。
【００２０】
このような本発明に係るプロジェクタでは上記のプロジェクタの発明において、光源からの出射光の光路が色分離手段の直線状に配列された複数の有彩色を透過させるフィルタセグメントそれぞれの方向へ切り換えられ、色分離手段の複数の有彩色を透過させるフィルタセグメントそれぞれを透過した光の光路が空間光変調手段の方向へ向けられる。
【００２１】
また本発明に係るプロジェクタは、白色光を出射する光源と、該光源からの出射光を画像を構成する複数の有彩色の成分を表す変調光及び白色を表わす変調光に順次的に変換する空間光変調手段と、前記光源と前記空間光変調手段との間で前記光源からの出射光を前記空間光変調手段が複数の有彩色及び白色に順次的に変換するタイミングに同期して前記複数の有彩色及び白色に分離する色分離手段とを備えたプロジェクタにおいて、前記色分離手段は前記複数の有彩色及び白色の光をそれぞれ透過させる複数のフィルタセグメントを有し、前記光源と前記空間光変調手段との間の前記光源からの出射光の光路を、前記色分離手段が有する複数のフィルタセグメントそれぞれを透過して前記空間光変調手段へ到達するように切り換える光路切換手段とを備えたことを特徴とする。
【００２２】
このような本発明に係るプロジェクタでは、色分離手段が回転したり、移動するのではなく、光源と空間光変調手段との間の光源からの出射光の光路が色分離手段が有する複数の有彩色を透過させるフィルタセグメント及び白色光を透過させるフィルタセグメントそれぞれを透過して空間光変調手段へ到達するように切り換えられる。
【００２３】
また本発明に係るプロジェクタは上記のプロジェクタの発明において、前記光路切換手段が前記光源からの出射光が前記複数のフィルタセグメントそれぞれを透過する時間を調整することにより、前記空間光変調手段により変換される変調光が表わす画像の有彩色の成分の強度及び／又は明るさを調整する制御手段を更に備えたことを特徴とする。
【００２４】
このような本発明に係るプロジェクタでは上記のプロジェクタの発明において、光源からの出射光が複数の有彩色を透過させるフィルタセグメント及び白色光を透過させるフィルタセグメントそれぞれを透過する時間を光路切換手段が調整することにより、空間光変調手段により変換される変調光が表わす画像の有彩色の成分の強度及び／又は画像全体の明るさが調整される。
【００２５】
また本発明に係るプロジェクタは前記のプロジェクタの発明において、前記色分離手段が有する前記複数のフィルタセグメントは直線状に配列されており、前記光路切換手段は、前記光源からの出射光の光路を前記色分離手段の直線状に配列された複数のフィルタセグメントそれぞれの方向へ切り換える光学的光路切換手段と、前記色分離手段の複数のフィルタセグメントそれぞれを透過した光の光路を前記空間光変調手段の方向へ向わせる光学的光路変換手段を備えたことを特徴とする。
【００２６】
このような本発明に係るプロジェクタでは上記のプロジェクタの発明において、光源からの出射光の光路が色分離手段の直線状に配列された複数の有彩色及び白色光を透過させるフィルタセグメントそれぞれの方向へ切り換えられ、色分離手段の複数の有彩色を透過させるフィルタセグメント及び白色光を透過させるフィルタセグメントそれぞれを透過した光の光路が空間光変調手段の方向へ向けられる。
【００２７】
また本発明に係るプロジェクタは上記のプロジェクタの発明において、前記空間光変調手段が前記光源からの出射光を変調光に変換する画像を少なくとも２種類に判別する判別手段と、該判別手段による判別結果に応じて、前記光源からの出射光を前記色分離手段の前記有彩色を透過させるフィルタセグメントのみを透過させる第１の制御と、前記有彩色光及び白色光を透過させるフィルタセグメントを透過させる第２の制御とのいずれかの制御を行なう前記制御手段とを備えたことを特徴とする。
【００２８】
このような本発明に係るプロジェクタでは上記のプロジェクタの発明において、空間光変調手段が光源からの出射光を変調光に変換する画像が少なくとも２種類に判別され、この判別結果に応じて、光源からの出射光が色分離手段の有彩色を透過させるフィルタセグメントのみを透過させる第１の制御と、有彩色光及び白色光を透過させるフィルタセグメントを透過させる第２の制御とのいずれかの制御が選択的に行なわれる。
【００２９】
また本発明に係るプロジェクタは上記のプロジェクタの発明において、前記判別手段が判別する前記２種類の画像の内の１種類はコンピュータのモニタ出力の画像であり、前記制御手段は、前記判別手段による画像の判別結果がコンピュータのモニタ出力の画像である場合に前記第２の制御を行なうようにしてあることを特徴とする。
【００３０】
このような本発明に係るプロジェクタでは上記のプロジェクタの発明において、２種類の判別される画像の内の１種類はコンピュータのモニタ出力の画像であり、画像の判別結果がコンピュータのモニタ出力の画像である場合には第２の制御が行なわれる。
【００３１】
また本発明に係るプロジェクタは上記のプロジェクタの発明のいずれか一つにおいて、前記有彩色は赤，緑，青であることを特徴とする。
【００３２】
このような本発明に係るプロジェクタでは上記のプロジェクタの発明のいずれか一つにおいて、赤，緑，青で構成されるカラーの映像が投射される。
【００３３】
また本発明に係るプロジェクタは上記のプロジェクタの発明のいずれか一つにおいて、前記有彩色はシアン，マゼンタ，イエローであることを特徴とする。
【００３４】
このような本発明に係るプロジェクタでは上記のプロジェクタの発明のいずれか一つにおいて、シアン，マゼンタ，イエローで構成されるカラーの映像が投射される。
【００３５】
また本発明に係るプロジェクタは上記のプロジェクタの発明のいずれか一つにおいて、前記有彩色は赤，緑，青，シアン，マゼンタ，イエローであることを特徴とする。
【００３６】
このような本発明に係るプロジェクタでは上記のプロジェクタの発明のいずれか一つにおいて、赤，緑，青，シアン，マゼンタ，イエローで構成されるカラーの映像が投射される。
【００３７】
また本発明に係るプロジェクタは上記のプロジェクタの発明のいずれか一つにおいて、前記有彩色は赤，緑，青と、シアン及び／又はマゼンタ及び／又はイエローであることを特徴とする。
【００３８】
このような本発明に係るプロジェクタでは上記のプロジェクタの発明のいずれか一つにおいて、赤，緑，青と、シアン及び／又はマゼンタ及び／又はイエローで構成されるカラーの映像が投射される。
【発明の効果】
【００３９】
上述のような本発明に係るプロジェクタによれば、光源と空間光変調手段との間の光源からの出射光の光路を切り換えて光源からの出射光の光路が色分離手段が有する複数の有彩色を透過させるフィルタセグメントそれぞれを透過して空間光変調手段へ到達するので、カラーホィールの回転に起因する問題が解決されると共に、光源からの出射光を無駄無く使用して画像を投射することが可能になる。
【００４０】
また本発明に係るプロジェクタによれば上記の発明のプロジェクタにおいて、光源からの出射光が複数の有彩色を透過させるフィルタセグメントそれぞれを透過する時間を光路切換手段により任意に調整することが可能になるので、空間光変調手段により変換される変調光が表わす画像の有彩色の成分の強度を任意に調整することが可能になる。
【００４１】
また本発明に係るプロジェクタによれば上記の発明のプロジェクタにおいて、カラーホィールを使用せずとも、色分離手段の複数の有彩色を透過させるフィルタセグメントそれぞれを透過した光を空間光変調手段へ入射させるプロジェクタを比較的簡単な機構で高精度に、しかも高い耐久性で実現することが可能になる。
【００４２】
また本発明に係るプロジェクタによれば、光源と空間光変調手段との間の光源からの出射光の光路を切り換えて光源からの出射光の光路が色分離手段が有する複数の有彩色及び白色光を透過させるフィルタセグメントそれぞれを透過して空間光変調手段へ到達するので、カラーホィールの回転に起因する問題が解決されると共に、光源からの出射光を無駄無く使用して画像を投射することが可能になる。
【００４３】
更に本発明に係るプロジェクタによれば上記のプロジェクタの発明において、カラーホ光源からの出射光が複数の有彩色及び白色光を透過させるフィルタセグメントそれぞれを透過する時間を光路切換手段により任意に調整することが可能になるので、空間光変調手段により変換される変調光が表わす画像の有彩色の成分の強度及び画像全体の明るさを任意に調整することが可能になる。
【００４４】
更に本発明に係るプロジェクタによれば上記のプロジェクタの発明において、カラーホィールを使用せずとも、色分離手段の複数の有彩色及び白色光を透過させるフィルタセグメントそれぞれを透過した光を空間光変調手段へ入射させるプロジェクタを比較的簡単な機構で高精度に、しかも高い耐久性で実現することが可能になる。
【００４５】
更に本発明に係るプロジェクタによれば上記のプロジェクタの発明において、入力画像が少なくとも２種類に判別され、この判別結果に応じて、第１の制御と第２の制御とのいずれかの制御が選択的に行なわれるので、入力画像に応じて適切な画質の画像が自動的に投射される。
【００４６】
また本発明に係るプロジェクタによれば上記のプロジェクタの発明において、少なくともコンピュータのモニタ出力の画像が判別されるので、その場合にはコンピュータのモニタ出力の画像に応じた適切な画質の画像が自動的に投射される。
【００４７】
また本発明に係るプロジェクタによれば上記の各発明のいずれか一つにおいて、赤，緑，青で構成されるカラーの映像を、通常の映像は色再現性のよい状態で、コンピュータのモニタ画像は高輝度でそれぞれ投射することが可能になる。
【００４８】
更に本発明に係るプロジェクタによれば上記の各発明のいずれか一つにおいて、シアン，マゼンタ又はイエローで構成されるカラーの映像を、通常の映像は色再現性のよい状態で、コンピュータのモニタ画像は高輝度でそれぞれ投射することが可能になる。
【００４９】
また更に本発明に係るプロジェクタによれば上記の各発明のいずれか一つにおいて、赤，緑，青，シアン，マゼンタ又はイエローで構成されるカラーの映像を、通常の映像は色再現性のよい状態で、コンピュータのモニタ画像は高輝度でそれぞれ投射することが可能になる。
【００５０】
更にまた本発明に係るプロジェクタによれば上記の各発明のいずれか一つにおいて、
赤，緑，青と、シアン及び／又はマゼンタ及び／又はイエローで構成されるカラーの映像を、通常の映像は色再現性のよい状態で、コンピュータのモニタ画像は高輝度でそれぞれ投射することが可能になる。
【発明を実施するための最良の形態】
【００５１】
以下、本発明をその実施の形態を示す図面を参照して具体的に説明する。図１は本発明に係るプロジェクタの一実施の形態の要部の構成例を示す模式図である。
【００５２】
本発明に係るプロジェクタは、白色光を出射する光源であるランプ１と、このランプ１の出射光の内のたとえば赤（Ｒ），緑（Ｇ），青（Ｂ）及び白（Ｗ）の光をそれぞれ透過させる４種類のフィルタセグメントを有する色分離フィルタ２と、この色分離フィルタ２のいずれかのフィルタセグメントを透過したランプ１からの出射光を画像データに基づいて空間光変調する空間光変調手段としてのＤＭＤ（Digital Micromirror Device) ３と、このＤＭＤ３が変調した変調光を外部のスクリーン等へ投射するための複数のレンズで構成される投射光学系４と、後述する制御系とで基本的には構成されている。
【００５３】
なお、本発明に係るプロジェクタは外部のスクリーン等へ画像を投射するいわゆるフロント投射方式にも、スクリーンの背面から投射するリア投射方式にも適用可能である。また、本実施の形態では空間光変調手段としてＤＭＤ３を備えているが、他の空間光変調手段、たとえば液晶パネル等を使用することも勿論可能である。更に、色分離フィルタ２とＤＭＤ３との間には、コンデンサレンズ１５，ロッドインテグレータ１６，可動反射鏡１７等の適宜の光学系が介装されている。コンデンサレンズ１５は色分離フィルタ２の各色用のフィルタセグメント２Ｒ，２Ｇ，２Ｂ，２Ｗを透過した光をロッドインテグレータ１６の一端部へ入射させるために備えられており、ロッドインテグレータ１６は一端部から入射された光を、ＤＭＤ３による空間光変調が可能な状態として他端部から出射する。なお、ロッドインテグレータ１６とＤＭＤ３との間には反射鏡１７が介在しているが、これは両者間の位置関係を調整するためのものである。
【００５４】
一方、ランプ１とカラーホィール２との間には、詳細は後述するが、ランプ１からの出射光がカラーホィール２の各フィルタセグメントを透過するように反射させる可動反射鏡１１が備えられている。なおこの可動反射鏡１１はアクチュエータとしてのたとえばボイスコイルモータ１１Ｍを制御回路５が制御することによりランプ１からの出射光を異なる角度で、本実施の形態では上述した色分離フィルタ２が有する４種類のフィルタセグメント２Ｒ，２Ｇ，２Ｂ，２Ｗに入射するように４方向へ反射させるように構成されている。換言すれば、可動反射鏡１１は色分離フィルタ２が有する４種類のフィルタセグメント２Ｒ，２Ｇ，２Ｂ，２Ｗにランプ１からの出射光を入射させるために４位置をとるように制御される。但し、色分離フィルタ２が白色用以外の３種類のフィルタセグメント２Ｒ，２Ｇ，２Ｂのみを有する場合には、可動反射鏡１１がとる位置もそれらの３種類のフィルタセグメント２Ｒ，２Ｇ，２Ｂに対応する３位置になる。
【００５５】
なお、本実施の形態では可動反射鏡１１のアクチュエータとしてボイスコイルモータ１１Ｍを使用しているが、ステップモータ、超音波モータ等を使用してもよいことはいうまでもない。また本実施の形態では平板状の可動反射鏡１１をボイスコイルモータ１１Ｍで回動させるようにしているが、それぞれの反射面が異なる反射角に構成されている複数の反射面を有する多面鏡（但し反射面の数は色分離フィルタ２が有するフィルタセグメントの数の整数倍）を回転させる構成でもよい。
【００５６】
図２は色分離フィルタ２の一構成例を示すための、可動反射鏡１１側から見た状態、より具体的にはランプ１からの出射光が色分離フィルタ２へ入射する光路に沿う方向に見た状態を示す模式図である。本実施の形態では図２に示すように、色分離フィルタ２は矩形のフレーム２Ｆの一方向に沿って４個所のほぼ正方形の窓が開口されており、それぞれの開口にＲ，Ｇ，Ｂ，Ｗ用のフィルタセグメント２Ｒ，２Ｇ，２Ｂ，２Ｗが装着されることにより構成されている。但し、Ｗ用のフィルタセグメント２Ｗを装着せずに素通しとしてもよい。
【００５７】
また、図２に参照符号ＰＲ，ＰＧ，ＰＢ，ＰＷで示す円形の部分はそれぞれ可動反射鏡１１が前述した４位置のそれぞれをとった場合にランプ１からの出射光が投射される領域を示している。以下、ランプ１からの出射光が赤色用のフィルタセグメント２Ｒ上の投射領域ＰＲに投射されるような角度になるように可動反射鏡１１がとる位置を第１ポジション（１Ｐ）、同緑色用のフィルタセグメント２Ｇ上の投射領域ＰＧに投射されるような角度になるように可動反射鏡１１がとる位置を第２ポジション（２Ｐ）、同青色用のフィルタセグメント２Ｂ上の投射領域ＰＢに投射されるような角度になるように可動反射鏡１１がとる位置を第３ポジション（３Ｐ）、同白色用のフィルタセグメント２Ｗ上の投射領域ＰＷに投射されるような角度になるように可動反射鏡１１がとる位置を第４ポジション（４Ｐ）とする。なお、詳細は後述するが、白色用のフィルタセグメント２Ｗは主としてコンピュータのモニタ画面を投射する際に他の３色用のフィルタセグメント２Ｒ，２Ｇ，２Ｂと共に使用され、主としてＴＶ映像，ＤＶＤ再生映像等を投射する際には使用されない。
【００５８】
なお、可動反射鏡１１にはその回動中心軸を回動させるためのアクチュエータとしてたとえばボイスコイルモータ１１Ｍが付属している。このボイスコイルモータ１１Ｍは後述する映像判別回路１０から与えられる判別信号に応じて制御回路５により制御されて、可動反射鏡１１を上述した第１乃至第４の位置のいずれかの位置になるように制御する。
【００５９】
制御系は、マイクロコンピュータ，マイクロプロセッサ等を利用した本発明に係るプロジェクタの全体を制御する制御回路５と、ユーザが外部から操作指示を与えるための操作部６と、前述した映像判別回路１０等で構成されている。なお、入力端子９にはたとえばＴＶ放送の映像信号，ＤＶＤプレーヤ等でＤＶＤから再生された映像信号、コンピュータのモニタ画面の映像信号等が外部から入力される。この入力端子９から入力された映像信号はＤＭＤ３に与えられることは勿論であるが、その他に映像判別回路１０及び制御回路５にも与えられる。
【００６０】
ところで本発明に係るプロジェクタはいわゆる単板式のプロジェクタであるので、ＤＭＤ３は映像信号の各フレームを３原色に分解した各色別のデジタル画像データに時分割で対応した状態をとる。従って、ＤＭＤ３が各色別のデジタル画像データに対応した状態をとるのに同期して色分離フィルタ２から対応する色の光がＤＭＤ３へ投射されるように制御回路５がＤＭＤ３及びボイスコイルモータ１１Ｍを制御する。
【００６１】
また制御回路５は操作部６からユーザが与える操作指示を受け付け、色分離フィルタ２の白色用のフィルタセグメント２Ｗを使用するか否かの判断を映像判別回路１０に自動的に行なわせる自動モードと、ユーザの指定に従って行なわせる手動モードとを設定することができる。また、制御回路５は操作部６からユーザが与える操作指示を受け付けることにより、各色及び明るさを個別に設定することも可能である。
【００６２】
映像判別回路１０は、上述したような自動モードが設定されている場合には、入力端子９から入力される映像信号を後述するようなロジックに従って解析し、解析結果を制御回路５に与える。制御回路５はこの映像判別回路１０から与えられる映像信号の解析結果に従って白色用のフィルタセグメント２Ｗを使用するか否か、具体的には入力端子９から入力される映像信号がコンピュータモニタの画像を表す場合には白色用のフィルタセグメント２Ｗを使用し、入力端子９から入力される映像信号がＴＶ映像，ＤＶＤ再生映像等である場合には白色用のフィルタセグメント２Ｗを使用しないように制御する。なお、手動モードが設定されている場合には、入力端子９から入力される映像信号の種類には拘わらず、制御回路５は手動モードでの指定に従って白色用のフィルタセグメント２Ｗを使用するか否かを制御する。
【００６３】
図３は上述の白色用のフィルタセグメント２Ｗを使用する場合（以下、データモードという）の、図４は白色用のフィルタセグメント２Ｗを使用しない場合（以下、シアターモードという）の可動反射鏡１１の標準の位置制御の状態をそれぞれ示すタイミングチャートである。
【００６４】
図３（ａ）には入力端子９から入力される映像信号のフレーム同期信号が、図３（ｂ）には可動反射鏡１１がとるべき位置、具体的にはランプ１からの出射光を各色用のフィルタセグメント２Ｒ，２Ｇ，２Ｂへ向けて反射させるための位置に対応してボイスコイルモータ１１Ｍに印加される電圧信号がそれぞれ示されている。
【００６５】
図３（ａ）に示すように、白色用のフィルタセグメント２Ｗを使用しないシアターモードが設定されている場合には、映像信号の１フレームの間（たとえば毎秒６０フレームである場合には約１６ｍｓｅｃ）に可動反射鏡１１が白色用以外の各色のフィルタセグメント２Ｒ，２Ｇ，２Ｂへランプ１からの出射光が投射される第１の位置，第２の位置及び第３の位置を順次的にとるように、ボイスコイルモータ１１Ｍが制御される。具体的には、制御回路５はＤＭＤ３に表示される映像信号の１フレームの間を分割したＲ，Ｇ，Ｂの３色の表示期間に応じてボイスコイルモータ１１Ｍに印加する電圧信号（Ｖ）をｖ，２ｖ，３ｖとする。
【００６６】
この結果、制御回路５はＤＭＤ３が１フレーム中の赤色の表示状態にある期間に、ボイスコイルモータ１１Ｍにｖ（Ｖ）の電圧信号を印加して可動反射鏡１１を第１の位置１Ｐへ回動させることによって、ランプ１からの出射光を色分離フィルタ２の赤色用のフィルタセグメント２Ｒへ入射させる。また、制御回路５はＤＭＤ３が１フレーム中の緑色の表示状態にある期間に、ボイスコイルモータ１１Ｍに２ｖ（Ｖ）の電圧信号を印加して可動反射鏡１１を第２の位置２Ｐへ回動させることによって、ランプ１からの出射光を色分離フィルタ２の緑色用のフィルタセグメント２Ｇへ入射させる。更に、制御回路５はＤＭＤ３が１フレーム中の青色の表示状態にある期間に、ボイスコイルモータ１１Ｍに３ｖ（Ｖ）の電圧信号を印加して可動反射鏡１１を第３の位置３Ｐへ回動させることによって、ランプ１からの出射光を色分離フィルタ２の青色用のフィルタセグメント２Ｂへ入射させる。
【００６７】
なお、図３からも理解されるように、シアターモードでは各フレームにおいて３色の有彩色の内の赤（Ｒ）の表示期間が他の色に比して長くなっている。従って、可動反射鏡１１が第１の位置１Ｐに位置する期間も赤（Ｒ）の表示期間に応じて長くなっている。この理由は、シアターモードでは一般的にＴＶ放送の映像信号，ＤＶＤからの再生映像信号等を対象としているので、特に人間の肌の色を良好な色調で表現するためである。
【００６８】
一方、図４（ａ）に示すように、白色用のフィルタセグメント２Ｗを使用するデータモードが設定されている場合には、映像信号の１フレームの間に可動反射鏡１１が白色用も含めた各色のフィルタセグメント２Ｒ，２Ｇ，２Ｂ，２Ｗへランプ１からの出射光が投射される第１の位置，第２の位置，第３の位置及び第４の位置を順次的にとるように、ボイスコイルモータ１１Ｍが制御される。具体的には、制御回路５はＤＭＤ３に表示される映像信号の１フレームの間を分割したＲ，Ｇ，Ｂの３色及び白色の表示期間に応じてボイスコイルモータ１１Ｍに印加する電圧信号（Ｖ）をｖ，２ｖ，３ｖ，４ｖとする。
【００６９】
この結果、制御回路５はＤＭＤ３が１フレーム中の赤色の表示状態にある期間に、ボイスコイルモータ１１Ｍにｖ（Ｖ）の電圧信号を印加して可動反射鏡１１を第１の位置１Ｐへ回動させることによって、ランプ１からの出射光を色分離フィルタ２の赤色用のフィルタセグメント２Ｒへ入射させる。また、制御回路５はＤＭＤ３が１フレーム中の緑色の表示状態にある期間に、ボイスコイルモータ１１Ｍに２ｖ（Ｖ）の電圧信号を印加して可動反射鏡１１を第２の位置２Ｐへ回動させることによって、ランプ１からの出射光を色分離フィルタ２の緑色用のフィルタセグメント２Ｇへ入射させる。更に、制御回路５はＤＭＤ３が１フレーム中の青色の表示状態にある期間に、ボイスコイルモータ１１Ｍに３ｖ（Ｖ）の電圧信号を印加して可動反射鏡１１を第３の位置３Ｐへ回動させることによって、ランプ１からの出射光を色分離フィルタ２の青色用のフィルタセグメント２Ｂへ入射させる。また更に、制御回路５はＤＭＤ３が１フレーム中の白色の表示状態にある期間に、ボイスコイルモータ１１Ｍに４ｖ（Ｖ）の電圧信号を印加して可動反射鏡１１を第４の位置４Ｐへ回動させることによって、ランプ１からの出射光を色分離フィルタ２の白色用のフィルタセグメント２Ｗへ入射させる。
【００７０】
なお、図４からも理解されるように、データモードでは各フレームにおいて３色の有彩色の内の赤（Ｒ）及び青（Ｂ）の表示期間が他の色（緑及び白）に比して短くなっている。従って、可動反射鏡１１が第１及び第３の位置１Ｐ及び３Ｐに位置する期間も赤（Ｒ）及び青（Ｂ）の表示期間に応じて短くなっている。この理由は、データモードでは色調よりも輝度が優先されるため、白色光の追加に加えて、明るさを低下させる赤及び青の表示期間をより短くすることによって輝度を増加させるためである。
【００７１】
以上のような図３に示すような制御が行なわれるシアターモードが設定されている場合には、白色用以外のフィルタセグメント２Ｒ，２Ｇ，２Ｂが使用されると共に赤色の表示期間が他の色に比して長くされるので、良好な色再現性が得られる。一方、図４に示すデータモードが設定されている場合には、白色も含めたフィルタセグメント２Ｒ，２Ｇ，２Ｂ，２Ｗが使用されると共に、明るさを低下させる赤及び青色の表示期間が短くされるので、高輝度の投射画像が得られる。
【００７２】
以下、上述のような構成の本発明に係るプロジェクタの動作についてその手順を示す図５及び図６のフローチャートを参照して説明する。なお、いうまでもないが、これらのフローチャートに示されている処理は制御回路５により、制御回路５自身に予めインストールされている制御プログラムに従って実行される。
【００７３】
通常、制御回路５はユーザが操作部６を操作したことによる操作の受付があったか否かを監視している（ステップＳ１１でＮＯ）。ユーザによる操作部６の操作による操作の受付があった場合（ステップＳ１１でＹＥＳ）、制御回路５はそれが「モード設定」の指示であるのか否かを判断する（ステップＳ１２）。「モード設定」ではない他の指示を受け付けた場合には（ステップＳ１２でＮＯ）、制御回路５は受け付けた指示に対応した他の処理を実行し（ステップＳ１３）、ステップＳ１１へ処理を戻す。
【００７４】
「モード設定」の指示を受け付けた場合（ステップＳ１２でＹＥＳ）、制御回路５は「自動モード」が指示されたのか、「手動モード」が指示されたのかを判断し、「自動モード」が指示された場合は制御回路５は映像判別回路１０に対して「自動モード」が設定されたことを指示する。一方、「手動モード」が指示された場合は、制御回路５は「シアターモード」又は「データモード」のいずれが指定されたかを判断し、指定されたモードを映像判別回路１０へ指示する（ステップＳ１５）。
【００７５】
「自動モード」が指示された場合、制御回路５から映像判別回路１０へ「自動モード」が設定されたことが指示されるので、映像判別回路１０は映像信号の判別を行なう（ステップＳ１４）。図６は映像判別回路１０により処理される「映像モード判別」の手順を示すフローチャートである。なおこの「映像モード判別」の手順は映像判別回路１０に予めインストールされているプログラムに従って映像判別回路１０が処理する。
【００７６】
「映像モード判別」の処理に際して、映像判別回路１０はまず、入力端子９から映像信号が入力されているか否かを判断し（ステップＳ３１）、映像信号が入力されていない場合は（ステップＳ３１でＮＯ）、映像信号が入力されるまで待機する。入力端子９から映像信号が入力されている場合は（ステップＳ３１でＹＥＳ）、映像判別回路１０は映像信号の同期信号の判別、具体的にはその水平及び垂直同期信号の周波数を計数することによる判別を行なう（ステップＳ３２）。なお、このような映像信号の同期信号の両周波数を判別する技術は周知であるので説明は省略する。
【００７７】
入力端子９から入力されている映像信号の同期信号を判別することによって水平周波数及び垂直周波数が判明すると、映像判別回路１０は予め自身に内蔵している種々の映像信号の種類と水平周波数及び垂直周波数との関係を示すテーブルに基づいて、入力端子９から入力されている映像信号の種類を判別する（ステップＳ３３）。この結果、入力端子９から入力されている映像信号がコンピュータから出力されている映像信号、たとえばＶＧＡ（６４０×４８０）〜ＵＸＧＡ（１６００×１２００）である場合は「データモード」であると判別される。また、入力端子９から入力されている映像信号がＴＶ放送の映像信号、あるいはＤＶＤからの再生映像信号、たとえばＨＤＴＶ（１９２０×１０８０又は１２８０×７２０）、又はＮＴＳＣ，ＰＡＬ等である場合は「シアターモード」であると判別される。
【００７８】
以上のようにして、入力端子９から入力されている映像信号が「データモード」であるか「シアターモード」であるかが判別されると図５のメインルーチンへ処理が戻され、判別結果が映像判別回路１０から制御回路５へ与えられる。「シアターモード」であると判別された場合、制御回路５は前述した図３に示すようなフィルタセグメントから白色用を除く他の３種類の有彩色のフィルタセグメント２Ｒ，２Ｇ，２Ｂのみを使用する制御を行なう（ステップＳ１６）。一方、「データモード」であると判別された場合、制御回路５は前述した図３に示すような白色用を含む全てのフィルタセグメント２Ｒ，２Ｇ，２Ｂ，２Ｗを使用する制御を行なう（ステップＳ１７）。
【００７９】
一方、ユーザが「手動モード」を指示した場合には、制御回路５は更に「シアターモード」又は「データモード」の指定を受け付ける。従って、ユーザが「手動モード」を指示して「シアターモード」を指定した場合には、制御回路５は上述同様にステップＳ１６の制御を行なう。また、ユーザが「手動モード」を指示して「データモード」を指定した場合には、制御回路５は上述同様にステップＳ１７の制御を行なう。
【００８０】
制御回路５がステップＳ１６の制御を行なう場合、ボイスコイルモータ１１Ｍは図３に示すような制御を行なうので、ランプ１からの出射光は色分離フィルタ２の白色用以外の各有彩色のフィルタセグメント２Ｒ，２Ｇ，２Ｂを映像信号の１フレーム間に順次的に透過してＤＭＤ３へ入射される。従って、入力端子９から入力されてＤＭＤ３に与えられているデジタル画像データは色再現性が良好な画像として投射される。
【００８１】
一方、制御回路５がステップＳ１７の制御を行なう場合、ボイスコイルモータ１１Ｍは図４に示すような制御を行なうので、ランプ１からの出射光は白色用を含む全てのフィルタセグメント２Ｒ，２Ｇ，２Ｂ，２Ｗを映像信号の１フレーム間に順次的に透過してＤＭＤ３へ入射される。従って、入力端子９から入力されてＤＭＤ３に与えられているデジタル画像データは色再現性は若干劣るものの、高輝度の画像として投射される。
【００８２】
ところで、本発明に係るプロジェクタでは画質の調整、具体的には各色別の調整及び明るさの調整が非常に容易に行なえる。即ち、従来のカラーホィールを使用してランプ１からの出射光を各色の光に分離する場合に比して、映像信号の各１フレーム間において特定の有彩色の表示期間を容易に、しかもカラーホィールの回転速度に制限されずに調整可能であるので各色別の明るさを個別に調整することが容易になると共に、白色の表示期間も容易に調整可能になるので画像全体の明るさを調整することも容易になる。
【００８３】
たとえば図５のフローチャートに示すステップＳ１２において「画質調整」が指示されたとすると、同ステップＳ１３において「画質調整」の処理が実行される。図７はその際の制御回路５により行なわれる処理手順を示すフローチャートである。なお、いうまでもないが、このフローチャートに示されている処理は制御回路５により、制御回路５自身に予めインストールされている制御プログラムに従って実行される。
【００８４】
まず制御回路５は操作部６に併設されている表示装置上に画質調整画面を表示するか、またはＯＳＤ（On Screen Display)機能を利用して画質調整画面を投射する（ステップＳ２１）。この画質調整画面は図８にその模式図を示すような画面であり、本実施例では「赤」、「緑」、「青」及び「明るさ」の内のユーザが希望するいずれをも選択して調整することができるようになっている。なお図８には全ての調整値が「±０」であるデフォルトの状態が示されている。
【００８５】
この画質調整画面上でユーザが「赤」を選択していずれかの値に調整した場合（ステップＳ２２でＹＥＳ）、制御回路５は赤色の調整値を一時記憶する（ステップＳ２７）。また、ユーザが「緑」を選択していずれかの値に調整した場合（ステップＳ２３でＹＥＳ）、制御回路５は緑色の調整値を一時記憶する（ステップＳ２８）。また、ユーザが「青」を選択していずれかの値に調整した場合（ステップＳ２４でＹＥＳ）、制御回路５は青色の調整値を一時記憶する（ステップＳ２９）。更にユーザが「明るさ」を選択していずれかの値に調整した場合（ステップＳ２５でＹＥＳ）、制御回路５は白色の調整値として一時記憶する（ステップＳ３０）。以上のようにして一時記憶された各色の調整値は制御回路５に与えられる。
【００８６】
なお、画質調整画面上でユーザが「終了」を選択した場合（ステップＳ２２、Ｓ２３、Ｓ２４、Ｓ２５でＮＯ、Ｓ２６でＹＥＳ）、制御回路５は図５に示すメインルーチンへ処理を戻す。またステップＳ２２乃至Ｓ２６のいずれにおいても”ＮＯ”であった場合には制御回路５は処理をステップＳ２１へ戻してユーザからの指示を待機する。また、フローチャートには示さないが、ユーザが「リセット」を選択した場合には、その時点で設定されているモード、具体的には図３及び図４にそれぞれ示したシアターモード又はデータモードのデフォルトの状態に各色及び明るさの状態が戻される。
【００８７】
上述した実施の形態では、色分離フィルタ２は白色用及び３種類の有彩色用のフィルタセグメント２Ｒ，２Ｇ，２Ｂ，２Ｗを有する構成としているが、これは前述したようなデータモードでの使用を考慮した構成である。従って、データモードでの使用を考慮しない場合には有彩色用のフィルタセグメント２Ｒ，２Ｇ，２Ｂのみを有する色分離フィルタ２を使用してもよい。
【００８８】
なお、上記の実施の形態では、色分離フィルタ２が有する有彩色のセグメントは赤，緑，青の３色であるが、これに限られる必要はなく、たとえばシアン，マゼンタ，イエローであってもよいし、赤，緑，青の３色とシアン，マゼンタ，イエローの３色との６色を使用してもよい。
【図面の簡単な説明】
【００８９】
【図１】本発明に係るプロジェクタの一実施の形態の要部の構成例を示す模式図である。
【図２】本発明に係るプロジェクタの色分離フィルタの一構成例を示すためのランプからの出射光が色分離フィルタへ入射する光路に沿う方向に見た状態を示す模式図である。
【図３】本発明に係るプロジェクタの色分離フィルタの白色用のフィルタセグメントを使用する場合の可動反射鏡の標準の位置制御の状態を示すタイミングチャートである。
【図４】本発明に係るプロジェクタの色分離フィルタの白色用のフィルタセグメントを使用しない場合の可動反射鏡の標準の位置制御の状態を示すタイミングチャートである。
【図５】本発明に係るプロジェクタの動作の手順を示すフローチャートである。
【図６】本発明に係るプロジェクタの動作の手順を示すフローチャートである。
【図７】本発明に係るプロジェクタの画質調整が指示された場合の処理手順を示すフローチャートである。
【図８】本発明に係るプロジェクタの画質調整が指示された場合に表示される画質調整画面を示す模式図である。
【符号の説明】
【００９０】
１  ランプ
２  色分離フィルタ
３  ＤＭＤ
５  制御回路
６  操作部
９  入力端子
１０  映像判別回路
１１  可動反射鏡
１１Ｍ  ボイスコイルモータ
１５  コンデンサレンズ
２Ｒ，２Ｇ，２Ｂ，２Ｗ    フィルタセグメント
【図１】
2006220751.tif 000003
【図２】
2006220751.tif 000004
【図３】
2006220751.tif 000005
【図４】
2006220751.tif 000006
【図５】
2006220751.tif 000007
【図６】
2006220751.tif 000008
【図７】
2006220751.tif 000009
【図８】
2006220751.tif 000010